(57)【要約】【課題】複数の記録装置がネットワークを介して接続されている場合において、所望の記録装置の撮影を長時間行う。【解決手段】撮影装置２１乃至２４は、無線ネットワーク２５を介して接続される。撮影装置２４は、撮影データを取得して記録する。撮影装置２４は、他の撮影装置２１乃至２３に送信される優先度情報と、他の撮影装置２１乃至２３から送信されてくる他の優先度情報に基づいて、撮影装置２１乃至２４の優先度データを決定する。撮影装置２４は、記録部の残容量が、撮影装置２４の優先度データに対応する規定値を下回った場合、他の撮影装置２１乃至２３の優先度データに基づいて、撮影データを他の撮影装置２３に転送する。本発明は、例えば、撮影装置に適用することができる。【選択図】図２
2009118367.tif 000002
【特許請求の範囲】
【請求項１】
ネットワークを介して少なくとも１つの他の記録装置と接続される記録装置において、
データを取得する取得手段と、
前記データを記録する記録手段と、
前記データの前記他の記録装置への記録における優先度を表す優先度データに関する情報である優先度情報を、前記他の記録装置に送信する送信手段と、
前記他の記録装置から送信されてくる、前記他の記録装置により取得されたデータの前記記録装置への記録における優先度の優先度データに関する情報である他の優先度情報を受信する受信手段と、
前記優先度情報と前記他の優先度情報に基づいて、前記記録装置と前記他の記録装置の優先度データを決定する決定手段と、
前記記録手段の残容量が、前記記録装置の優先度データに対応する規定値を下回った場合、前記他の記録装置の優先度データに基づいて、前記データを前記他の記録装置に転送する転送手段と
を備える記録装置。
【請求項２】
前記優先度情報と前記他の優先度情報のうちの一方は、最優先の優先度データの要求を表す情報であり、他方は、前記要求に応じた優先度データの変更の了承を表す情報である
請求項１に記載の記録装置。
【請求項３】
前記データは、撮影により得られたデータであり、
前記記録手段は、前記データを、１回の撮影処理により得られたデータであるクリップ単位で記録し、
前記優先度情報は、前記記録手段に記録されているクリップのうちの重要度が低いクリップの数を表す情報であり、
前記他の優先度情報は、前記他の記録装置の記録手段に記録されているクリップのうちの重要度が低いクリップの数を表す情報である
請求項１に記載の記録装置。
【請求項４】
前記優先度情報は、前記記録手段の残容量を表す情報であり、
前記他の優先度情報は、前記他の記録装置の記録手段の残容量を表す情報である
請求項１に記載の記録装置。
【請求項５】
前記ネットワークは、無線ネットワークであり、
前記優先度情報は、前記記録装置における電波の強度であり、
前記他の優先度情報は、前記他の記録装置における電波の強度である
請求項１に記載の記録装置。
【請求項６】
前記転送手段は、前記データの全てを前記他の記録装置に記録させることができない場合、前記データの一部を分割してファイルとして前記他の記録装置に転送するとともに、そのファイルに固有の情報である固有情報を付与し、その固有情報を含む分割後の前記データに関する情報を作成して、前記記録手段に記録させる
請求項１に記載の記録装置。
【請求項７】
前記データは、画像データ、音声データ、前記画像データのデータ量を少なくした画像プロキシデータ、前記音声データのデータ量を少なくした音声プロキシデータ、およびメタデータからなり、
前記転送手段は、前記データを前記他の記録装置に転送した場合、前記画像データおよび前記音声データを前記記録手段から削除する
請求項１に記載の記録装置。
【請求項８】
前記転送手段は、前記データを前記他の記録装置に転送した場合、前記記録手段に記録されているメタデータに転送先である前記他の記録装置を特定する情報を記述する
請求項７に記載の記録装置。
【請求項９】
データを記録する記録手段を備え、ネットワークを介して少なくとも１つの他の記録装置と接続される記録装置の記録方法において、
前記データを取得し、
前記データを前記記録手段に記録し、
前記データの前記他の記録装置への記録における優先度を表す優先度データに関する情報である優先度情報を、前記他の記録装置に送信し、
前記他の記録装置から送信されてくる、前記他の記録装置により取得されたデータの前記記録装置への記録における優先度の優先度データに関する情報である他の優先度情報を受信し、
前記優先度情報と前記他の優先度情報に基づいて、前記記録装置と前記他の記録装置の優先度データを決定し、
前記記録手段の残容量が、前記記録装置の優先度データに対応する規定値を下回った場合、前記他の記録装置の優先度データに基づいて、前記データを前記他の記録装置に転送する
ステップを含む記録方法。
【請求項１０】
ネットワークを介して接続される少なくとも１つの他の記録装置にデータを転送する転送処理を、コンピュータに行わせるプログラムにおいて、
前記データを取得し、
前記データを記録手段に記録し、
前記データの前記他の記録装置への記録における優先度を表す優先度データに関する情報である優先度情報を、前記他の記録装置に送信し、
前記他の記録装置から送信されてくる、前記他の記録装置により取得されたデータの前記記録装置への記録における優先度の優先度データに関する情報である他の優先度情報を受信し、
前記優先度情報と前記他の優先度情報に基づいて、前記記録装置と前記他の記録装置の優先度データを決定し、
前記記録手段の残容量が、前記記録装置の優先度データに対応する規定値を下回った場合、前記他の記録装置の優先度データに基づいて、前記データを前記他の記録装置に転送する
ステップを含む転送処理をコンピュータに行わせるプログラム。
【請求項１１】
ネットワークを介して接続される第１および第２の記録装置から構成される記録システムにおいて、
前記第１の記録装置は、
第１のデータを取得する第１の取得手段と、
前記第１のデータを記録する第１の記録手段と、
前記第１のデータの前記第２の記録装置への記録における優先度を表す優先度データに関する情報である第１の優先度情報を、前記第２の記録装置に送信する第１の送信手段と、
前記第２の記録装置から送信されてくる、前記第２の記録装置により取得された第２のデータの前記第１の記録装置への記録における優先度の優先度データに関する情報である第２の優先度情報を受信する第１の受信手段と、
前記第１の優先度情報と前記第２の優先度情報に基づいて、前記第１の記録装置と前記第２の記録装置の優先度データを決定する決定手段と、
前記第１の記録手段の残容量が、前記第１の記録装置の優先度データに対応する規定値を下回った場合、前記第２の記録装置の優先度データに基づいて、前記第１のデータを前記第２の記録装置に転送する転送手段と
を備え、
前記第２の記録装置は、
前記第２のデータを取得する第２の取得手段と、
前記第２のデータを記録する第２の記録手段と、
前記第１の送信手段により送信される前記第１の優先度情報を受信する第２の受信手段と、
前記第２の優先度情報を前記第１の受信手段に送信する第２の送信手段と、
前記転送手段により転送される前記第１のデータを受信するデータ受信手段と
を備え、
前記第２の記録手段は、前記データ受信手段により受信された前記第１のデータを記録する
記録システム。
【発明の詳細な説明】
【技術分野】
【０００１】
本発明は、記録装置および記録方法、プログラム、並びに記録システムに関し、特に、複数の記録装置がネットワークを介して接続されている場合において、所望の記録装置の撮影を長時間行うことができるようにした記録装置および記録方法、プログラム、並びに記録システムに関する。
【背景技術】
【０００２】
近年、小型化や撮影画像の転送の利便性を図るため、記録媒体として半導体メモリを用いたカムコーダー（登録商標）などの撮影装置が存在している。
【０００３】
また、複数の撮影装置により取得された撮影画像を記録する画像記録装置が複数台ネットワークに接続され、１つの画像記録装置で記録容量が不足したときに、その画像記録装置が他の画像記録装置と空き容量や使用可能可否についての情報を交換し、他の画像記録装置が代替して撮影画像の記録を行う画像記録システムがある（例えば、特許文献１参照）。
【特許文献１】特開２００６−１１４９８５号公報
【発明の開示】
【発明が解決しようとする課題】
【０００４】
しかしながら、１つの画像記録装置で記録容量が不足した時点で、他の画像記録装置に撮影画像を転送する場合、最初に記録容量が不足した画像記録装置の撮影画像が最も長く記録されることになり、所望の画像記録装置の撮影画像を長時間記録することができない場合がある。
【０００５】
本発明は、このような状況に鑑みてなされたものであり、複数の記録装置がネットワークを介して接続されている場合において、所望の記録装置の撮影を長時間行うことができることができるようにするものである。
【課題を解決するための手段】
【０００６】
本発明の第１の側面の記録装置は、ネットワークを介して少なくとも１つの他の記録装置と接続される記録装置において、データを取得する取得手段と、前記データを記録する記録手段と、前記データの前記他の記録装置への記録における優先度を表す優先度データに関する情報である優先度情報を、前記他の記録装置に送信する送信手段と、前記他の記録装置から送信されてくる、前記他の記録装置により取得されたデータの前記記録装置への記録における優先度の優先度データに関する情報である他の優先度情報を受信する受信手段と、前記優先度情報と前記他の優先度情報に基づいて、前記記録装置と前記他の記録装置の優先度データを決定する決定手段と、前記記録手段の残容量が、前記記録装置の優先度データに対応する規定値を下回った場合、前記他の記録装置の優先度データに基づいて、前記データを前記他の記録装置に転送する転送手段とを備える。
【０００７】
本発明の第１の側面の記録装置において、前記優先度情報と前記他の優先度情報のうちの一方は、最優先の優先度データの要求を表す情報であり、他方は、前記要求に応じた優先度データの変更の了承を表す情報であるようにすることができる。
【０００８】
本発明の第１の側面の記録装置において、前記データは、撮影により得られたデータであり、前記記録手段は、前記データを、１回の撮影処理により得られたデータであるクリップ単位で記録し、前記優先度情報は、前記記録手段に記録されているクリップのうちの重要度が低いクリップの数を表す情報であり、前記他の優先度情報は、前記他の記録装置の記録手段に記録されているクリップのうちの重要度が低いクリップの数を表す情報であるようにすることができる。
【０００９】
本発明の第１の側面の記録装置において、前記優先度情報は、前記記録手段の残容量を表す情報であり、前記他の優先度情報は、前記他の記録装置の記録手段の残容量を表す情報であるようにすることができる。
【００１０】
本発明の第１の側面の記録装置において、前記ネットワークは、無線ネットワークであり、前記優先度情報は、前記記録装置における電波の強度であり、前記他の優先度情報は、前記他の記録装置における電波の強度であるようにすることができる。
【００１１】
本発明の第１の側面の記録装置において、前記転送手段は、前記データの全てを前記他の記録装置に記録させることができない場合、前記データの一部を分割してファイルとして前記他の記録装置に転送するとともに、そのファイルに固有の情報である固有情報を付与し、その固有情報を含む分割後の前記データに関する情報を作成して、前記記録手段に記録させることができる。
【００１２】
本発明の第１の側面の記録装置において、前記データは、画像データ、音声データ、前記画像データのデータ量を少なくした画像プロキシデータ、前記音声データのデータ量を少なくした音声プロキシデータ、およびメタデータからなり、前記転送手段は、前記データを前記他の記録装置に転送した場合、前記画像データおよび前記音声データを前記記録手段から削除することができる。
【００１３】
本発明の第１の側面の記録装置において、前記転送手段は、前記データを前記他の記録装置に転送した場合、前記メタデータに転送先である前記他の記録装置を特定する情報を記述することができる。
【００１４】
本発明の第１の側面の画像記録方法は、データを記録する記録手段を備え、ネットワークを介して少なくとも１つの他の記録装置と接続される記録装置の記録方法において、前記データを取得し、前記データを前記記録手段に記録し、前記データの前記他の記録装置への記録における優先度を表す優先度データに関する情報である優先度情報を、前記他の記録装置に送信し、前記他の記録装置から送信されてくる、前記他の記録装置により取得されたデータの前記記録装置への記録における優先度の優先度データに関する情報である他の優先度情報を受信し、前記優先度情報と前記他の優先度情報に基づいて、前記記録装置と前記他の記録装置の優先度データを決定し、前記記録手段の残容量が、前記記録装置の優先度データに対応する規定値を下回った場合、前記他の記録装置の優先度データに基づいて、前記データを前記他の記録装置に転送するステップを含む。
【００１５】
本発明の第１の側面のプログラムは、ネットワークを介して接続される少なくとも１つの他の記録装置にデータを転送する転送処理を、コンピュータに行わせるプログラムにおいて、前記データを取得し、前記データを記録手段に記録し、前記データの前記他の記録装置への記録における優先度を表す優先度データに関する情報である優先度情報を、前記他の記録装置に送信し、前記他の記録装置から送信されてくる、前記他の記録装置により取得されたデータの前記記録装置への記録における優先度の優先度データに関する情報である他の優先度情報を受信し、前記優先度情報と前記他の優先度情報に基づいて、前記記録装置と前記他の記録装置の優先度データを決定し、前記記録手段の残容量が、前記記録装置の優先度データに対応する規定値を下回った場合、前記他の記録装置の優先度データに基づいて、前記データを前記他の記録装置に転送するステップを含む転送処理をコンピュータに行わせる。
【００１６】
本発明の第１の側面の記録システムは、ネットワークを介して接続される第１および第２の記録装置から構成される記録システムにおいて、前記第１の記録装置は、第１のデータを取得する第１の取得手段と、前記第１のデータを記録する第１の記録手段と、前記第１のデータの前記第２の記録装置への記録における優先度を表す優先度データに関する情報である第１の優先度情報を、前記第２の記録装置に送信する第１の送信手段と、前記第２の記録装置から送信されてくる、前記第２の記録装置により取得された第２のデータの前記第１の記録装置への記録における優先度の優先度データに関する情報である第２の優先度情報を受信する第１の受信手段と、前記第１の優先度情報と前記第２の優先度情報に基づいて、前記第１の記録装置と前記第２の記録装置の優先度データを決定する決定手段と、前記第１の記録手段の残容量が、前記第１の記録装置の優先度データに対応する規定値を下回った場合、前記第２の記録装置の優先度データに基づいて、前記第１のデータを前記第２の記録装置に転送する転送手段とを備え、前記第２の記録装置は、前記第２のデータを取得する第２の取得手段と、前記第２のデータを記録する第２の記録手段と、前記第１の送信手段により送信される前記第１の優先度情報を受信する第２の受信手段と、前記第２の優先度情報を前記第１の受信手段に送信する第２の送信手段と、前記転送手段により転送される前記第１のデータを受信するデータ受信手段とを備え、前記第２の記録手段は、前記データ受信手段により受信された前記第１のデータを記録する。
【００１７】
本発明の第１の側面においては、データが取得されて記録手段に記録され、データの他の記録装置への記録における優先度を表す優先度データに関する情報である優先度情報が、他の記録装置に送信され、他の記録装置から送信されてくる、他の記録装置により取得されたデータの記録装置への記録における優先度の優先度データに関する情報である他の優先度情報が受信され、優先度情報と他の優先度情報に基づいて、記録装置と他の記録装置の優先度データが決定され、記録手段の残容量が、記録装置の優先度データに対応する規定値を下回った場合、他の記録装置の優先度データに基づいて、データが他の記録装置に転送される。
【００１８】
本発明の第２の側面においては、第１の記録装置が、第１のデータを取得して第１の記録手段に記録し、第１のデータの第２の記録装置への記録における優先度を表す優先度データに関する情報である第１の優先度情報を、第２の記録装置に送信し、第２の記録装置から送信されてくる、第２の記録装置により取得された第２のデータの第１の記録装置への記録における優先度の優先度データに関する情報である第２の優先度情報を受信し、第１の優先度情報と第２の優先度情報に基づいて、第１の記録装置と第２の記録装置の優先度データを決定し、第１の記録手段の残容量が、第１の記録装置の優先度データに対応する規定値を下回った場合、第２の記録装置の優先度データに基づいて、第１のデータを第２の記録装置に転送する。
【００１９】
また、第２の記録装置が、第２のデータを取得して第２の記録手段に記録し、第１の記録装置から送信される第１の優先度情報を受信し、第２の優先度情報を第１の記録装置に送信し、第１の記録装置により転送される第１のデータを受信し、その第１のデータを第２の記録手段に記録する。
【００２０】
記録装置は、独立した装置であっても良いし、記録再生装置の記録処理を行うブロックであっても良い。
【発明の効果】
【００２１】
以上のように、本発明によれば、データを他の記録装置に転送することができる。また、本発明によれば、複数の記録装置がネットワークを介して接続されている場合において、所望の記録装置の撮影を長時間行うことができる。
【発明を実施するための最良の形態】
【００２２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の第１の側面の記録装置は、
ネットワーク(例えば、図１の無線ネットワーク２５)を介して少なくとも１つの他の記録装置(例えば、図１の撮影装置２１)と接続される記録装置(例えば、図１の撮影装置２２)において、
データを取得する取得手段(例えば、図３の撮影部４６)と、
前記データを記録する記録手段（例えば、図３の記録部４９）と、
前記データの前記他の記録装置への記録における優先度を表す優先度データに関する情報である優先度情報を、前記他の記録装置に送信する送信手段(例えば、図４の送信部６２)と、
前記他の記録装置から送信されてくる、前記他の記録装置により取得されたデータの前記記録装置への記録における優先度の優先度データに関する情報である他の優先度情報を受信する受信手段(例えば、図４の受信部６３)と、
前記優先度情報と前記他の優先度情報に基づいて、前記記録装置と前記他の記録装置の優先度データを決定する決定手段(例えば、図４の優先度決定部６４)と、
前記記録手段の残容量が、前記記録装置の優先度データに対応する規定値を下回った場合、前記他の記録装置の優先度データに基づいて、前記データを前記他の記録装置に転送する転送手段(例えば、図４の転送部６７)と
を備える。
【００２４】
本発明の第１の側面の記録方法は、
データを記録する記録手段（例えば、図３の記録部４９）を備え、ネットワーク(例えば、図１の無線ネットワーク２５)を介して少なくとも１つの他の記録装置(例えば、図１の撮影装置２１)と接続される記録装置(例えば、図１の撮影装置２２)の記録方法において、
前記データを取得し（例えば、図５のステップＳ１）、
前記データを前記記録手段に記録し(例えば、図５のステップＳ２)、
前記データの前記他の記録装置への記録における優先度を表す優先度データに関する情報である優先度情報を、前記他の記録装置に送信し(例えば、図１１のステップＳ１３)、
前記他の記録装置から送信されてくる、前記他の記録装置により取得されたデータの前記記録装置への記録における優先度の優先度データに関する情報である他の優先度情報を受信し(例えば、図１１のステップＳ１４)、
前記優先度情報と前記他の優先度情報に基づいて、前記記録装置と前記他の記録装置の優先度データを決定し(例えば、図１１のステップＳ１８)、
前記記録手段の残容量が、前記記録装置の優先度データに対応する規定値を下回った場合、前記他の記録装置の優先度データに基づいて、前記データを前記他の記録装置に転送する(例えば、図２２のステップＳ１２４，Ｓ１２７)
ステップを含む。
【００２５】
本発明の第２の側面の記録システムは、
ネットワーク（例えば、図１の無線ネットワーク２５）を介して接続される第１および第２の記録装置(例えば、図１の撮影装置２１および２２)から構成される記録システムにおいて、
前記第１の記録装置は、
第１のデータを取得する第１の取得手段(例えば、図１の撮影装置２１の図３の撮影部４９)と、
前記第１のデータを記録する第１の記録手段(例えば、図１の撮影装置２１の図３の記録部４９)と、
前記第１のデータの前記第２の記録装置への記録における優先度を表す優先度データに関する情報である第１の優先度情報を、前記第２の記録装置に送信する第１の送信手段(例えば、図１の撮影装置２１の送信部６２)と、
前記第２の記録装置から送信されてくる、前記第２の記録装置により取得された第２のデータの前記第１の記録装置への記録における優先度の優先度データに関する情報である第２の優先度情報を受信する第１の受信手段(例えば、図１の撮影装置２１の受信部６３)と、
前記第１の優先度情報と前記第２の優先度情報に基づいて、前記第１の記録装置と前記第２の記録装置の優先度データを決定する決定手段(例えば、図１の撮影装置２１の優先度決定部６４)と、
前記第１の記録手段の残容量が、前記第１の記録装置の優先度データに対応する規定値を下回った場合、前記第２の記録装置の優先度データに基づいて、前記第１のデータを前記第２の記録装置に転送する転送手段(例えば、図１の撮影装置２１の転送部６７)と
を備え、
前記第２の記録装置は、
前記第２のデータを取得する第２の取得手段(例えば、図１の撮影装置２２の図３の撮影部４６)と、
前記第２のデータを記録する第２の記録手段(例えば、図１の撮影装置２２の図３の記録部４９)と、
前記第１の送信手段により送信される前記第１の優先度情報を受信する第２の受信手段(例えば、図１の撮影装置２２の図４の受信部６３)と、
前記第２の優先度情報を送信する第２の送信手段(例えば、図１の撮影装置２２の図４の送信部６２)と、
前記転送手段により送信される前記第１のデータを受信するデータ受信手段(例えば、図１の撮影装置２２の記録制御部６５)と
を備え、
前記第２の記録手段は、前記データ受信手段により受信された前記第１のデータを記録する。
【００２６】
以下、本発明を適用した具体的な実施の形態について、図面を参照しながら詳細に説明する。
【００２７】
図１は、本発明を適用した記録システムの一実施の形態の構成例を示している。
【００２８】
図１の記録システム１０は、４つの撮影装置２１乃至２４が、無線ネットワーク２５を介して接続されることにより構成される。
【００２９】
撮影装置２１乃至２４は、それぞれ、例えばカムコーダー（登録商標）などにより構成される。なお、以下では、撮影装置２１乃至２４を特に区別する必要がない場合、それらをまとめて撮影装置２０という。
【００３０】
撮影装置２０は、無線ネットワーク２５に接続される可能性のある撮影装置２０のＩＰ（Internet Protocol）アドレスなどの認証情報を予め取得し、記憶している。この認証情報の取得方法については、後述する図２４を参照して説明する。
【００３１】
図１の例では、撮影装置２０は、撮影装置２１のＩＰアドレス「XXX.XXX.XXX.001」、撮影装置２２のＩＰアドレス「XXX.XXX.XXX.002」、撮影装置２３のＩＰアドレス「XXX.XXX.XXX.003」、および撮影装置２４のＩＰアドレス「XXX.XXX.XXX.004」を記憶している。
【００３２】
また、撮影装置２０は、被写体を撮影（音声の取得を含む）し、その結果得られる画像データと音声データからなる撮影データなどを記録する。さらに、撮影装置２０は、撮影を開始するとき、無線ネットワーク２５に接続し、記憶されている他の撮影装置２０のＩＰアドレスを用いて、無線ネットワーク２５を介して自分自身に接続されている撮影装置２０を探索する。
【００３３】
その後も、撮影装置２０は、所定の間隔で、無線ネットワーク２５を介して自分自身に接続されている撮影装置２０を探索し、これにより、無線ネットワーク２５における撮影装置２０の離脱と参入を把握する。従って、例えば、撮影中に無線ネットワーク２５に新たな撮影装置が接続された場合であっても、撮影装置２０は、その新たな撮影装置の参入を把握することができる。
【００３４】
また、撮影装置２１乃至２４のいずれか１つは、撮影データの他の撮影装置２０への記録における優先度を表す優先度データに関する情報である優先度情報としての、最優先の優先度データの要求を表す最優先要求情報を、無線ネットワーク２５を介して他の撮影装置２０に送信する。
【００３５】
さらに、撮影装置２０は、最優先要求情報に基づいて各撮影装置２０の優先度データを決定する。また、撮影装置２０は、図２に示すように、撮影データを記録する記録部（後述する図３）の残容量が、自分自身の優先度データに対応する残容量の規定値（以下、残容量規定値という）を下回った場合、他の撮影装置２０の優先度データに基づいて、まだ記録部の残容量が自分自身の優先度データに対応する残容量規定値より大きい他の撮影装置２０に送信する。
【００３６】
図２の例では、撮影装置２４の記録部の残容量が残容量規定値を下回っており、撮影装置２４は、まだ記録部の残容量が残容量規定値より大きい撮影装置２３に、撮影データを転送している。
【００３７】
図３は、撮影装置２０のハードウェアの構成例を示している。
【００３８】
図３のCPU（Central Processing Unit）４１は、ROM（Read Only Memory）４２、または、記録部４９に記録されているプログラムにしたがって各種の処理を実行する。RAM（Random Access Memory）４３には、CPU４１が実行するプログラム、図１の無線ネットワーク２５に接続される可能性のある撮影装置２０の認証情報などが適宜記憶される。これらのCPU４１、ROM４２、およびRAM４３は、バス４４により相互に接続されている。
【００３９】
CPU４１にはまた、バス４４を介して入出力インターフェース４５が接続されている。入出力インターフェース４５には、被写体を撮影する撮影部４６、操作ボタン、マイクロホンなどよりなる操作入力部４７、ディスプレイ、スピーカなどよりなる出力部４８が接続されている。
【００４０】
CPU４１は、例えば、RAM４３に記憶されている撮影装置２０の認証情報を用いて、撮影中に所定の間隔で、無線ネットワーク２５を介して接続されている他の撮影装置２０を探索する。また、CPU４１は、例えば、操作入力部４７からの入力に対応して、撮影部４６を制御して撮影を行い、その結果得られる撮影データなどをクリップ単位で記録部４９に記録させる。
【００４１】
なお、クリップとは、例えば、１回の撮影処理（撮影開始から撮影終了までの撮影処理）により得られた撮影データ、メタデータ等の集合体を指す。
【００４２】
また、CPU４１は、操作入力部４７からの入力に対応して、優先度情報としての最優先要求情報を、後述する通信部５０から無線ネットワーク２５を介して、そこに接続されている全ての他の撮影装置２０に送信する。
【００４３】
さらに、CPU４１は、最優先要求情報に基づいて、各撮影装置２０の優先度データを決定する。また、CPU４１は、通信部５０を介して、各撮影装置２０の記録部４９の残容量を表す残容量情報と、通信部５０により検出された無線電波の強度を表す電波情報とからなる撮影装置情報のリスト（以下、撮影装置情報リストという）を取得する。そして、CPU４１は、撮影装置情報リストと、他の撮影装置の優先度データとに基づいて、記録部４９に記録されている撮影データを、通信部５０を介して他の撮影装置２０に送信する。
【００４４】
なお、撮影装置情報リストは、無線ネットワーク２５を介して接続されている撮影装置２１乃至２４のうちのいずれか１つが生成し、管理する。従って、撮影装置情報リストを管理する１つの撮影装置２０のCPU４１は、通信部５０を介して、他の各撮影装置２０から撮影装置情報を取得し、撮影装置情報リストを生成することにより、撮影装置情報リストを取得する。
【００４５】
一方、撮影装置情報リストを管理しない他の撮影装置２０は、通信部５０を介して、撮影装置情報リストを管理する１つの撮影装置２０から送信されてくる撮影装置情報リストを受信することにより、撮影装置情報リストを取得する。
【００４６】
入出力インターフェース４５にはまた、ハードディスクなどからなり、撮影部４６により撮影された撮影データなどを記録する記録部４９と、無線ネットワーク２５を介して他の撮影装置２０などの外部の装置と通信する通信部５０が接続されている。
【００４７】
さらに、入出力インターフェース４５に接続されているドライブ５１は、磁気ディスク、光ディスク、光磁気ディスク、或いは半導体メモリなどのリムーバブルメディア５２が装着されたとき、それらを駆動し、そこに記録されているプログラムやデータなどを取得する。取得されたプログラムやデータは、必要に応じて記録部４９に転送され、記録される。なお、プログラムは、通信部５０を介して取得され、記録部４９に記録されてもよい。
【００４８】
図４は、図３のCPU４１の機能的構成例を示している。
【００４９】
図４のCPU４１は、取得部６１、送信部６２、受信部６３、優先度決定部６４、記録制御部６５、転送先決定部６６、および転送部６７により構成される。
【００５０】
取得部６１は、撮影装置情報リストを取得し、優先度決定部６４に供給する。また、取得部６１は、撮影中に所定の間隔で、無線ネットワーク２５を介して接続されている他の撮影装置２０を探索する。そして、取得部６１は、探索された撮影装置２０を特定する情報である撮影装置特定情報(例えば、ＩＰアドレス、各撮影装置２０に付与された固有のＩＤなど)を優先度決定部６４に供給する。
【００５１】
送信部６２は、無線ネットワーク２５を介して接続されている全ての他の撮影装置２０に、優先度決定部６４から供給される最優先要求情報を送信する。また、送信部６２は、優先度決定部６４から供給される、受信部６３により受信された最優先要求情報が表す要求に応じた優先度データの変更の了承を表す了承情報を、優先度情報として、最優先要求情報を送信してきた撮影装置２０に送信する。
【００５２】
受信部６３は、無線ネットワーク２５を介して接続されている他の撮影装置２０から送信されてくる最優先要求情報を、通信部５０を介して受信し、優先度決定部６４に供給する。また、受信部６３は、無線ネットワーク２５を介して接続されている他の撮影装置２０から送信されてくる、送信部６２から送信された最優先要求情報の了承情報を受信し、優先度決定部６４に供給する。
【００５３】
優先度決定部６４は、図３の操作入力部４７からの入力に対応して最優先要求情報を生成し、送信部６２に供給する。また、優先度決定部６４は、操作入力部４７からの入力に対応して、受信部６３から供給される最優先要求情報の了承情報を生成し、送信部６２に供給する。さらに、優先度決定部６４は、生成した最優先要求情報、および、受信部６３から供給される了承情報、または、生成した了承情報、および、受信部６３から供給される最優先要求情報と、取得部６１から供給される撮影装置特定情報とに基づいて、無線ネットワーク２５に接続されている各撮影装置２０の優先度データを決定する。優先度決定部６４は、各撮影装置２０の撮影装置特定情報と、優先度データおよび撮影装置情報を対応付けた優先度リストをRAM４３に記憶させる。
【００５４】
記録制御部６５は、操作入力部４７からの入力に対応して、図３の撮影部４６を制御し、撮影を行う。また、記録制御部６５は、撮影の結果得られる撮影データを記録部４９に供給して記録させる。さらに、記録制御部６５は、RAM４３に記憶されている優先度リストから、自分自身の優先度データに基づいて、残容量規定値を設定する。
【００５５】
なお、ここでは、残容量規定値は、図３の記録部４９における撮影データを記録可能な全領域の記録容量に対する割合で表されるものとする。また、残容量規定値は、最優先の優先度データに対応する残容量規定値に比べて、最優先の優先度ではない優先度の優先度データに対応する残容量規定値が小さくなるように設定される。
【００５６】
なお、最優先の優先度データに対応する残容量規定値としては、100％が設定されるようにしてもよい。この場合、最優先の優先度データが設定された撮影装置２０は、常時可能な限り大きな残容量を有することができる。この可能な限り大きな残容量は、基本的には、記録部４９における撮影データを記録可能な全領域の記録容量となるが、撮影レートが転送レートに比べて高い場合には、それらの差分により生じる撮影データが一時的に記録部４９に記録されるため、記録部４９における撮影データを記録可能な全領域の記録容量とはならない。
【００５７】
また、残容量規定値として、0％より大きい割合が設定される場合、撮影レートよりも転送レートが低いことにより撮影データを記録することができなくなることを防止することができる。
【００５８】
記録制御部６５はまた、記録部４９の残容量を検出し、その残容量が残容量規定値を下回る場合、転送先決定部６６に転送先の決定を指令する。
【００５９】
転送先決定部６６は、記録制御部６５から供給される転送先の決定の指令に応じて、RAM４３に記憶されている優先度リストから、転送先の撮影装置２０と転送対象とする撮影データを決定し、転送先の撮影装置２０の撮影装置特定情報と、転送対象を特定する情報である転送対象特定情報(例えば、後述するUMID(Unique Material Identifier)など)を、転送部６７に供給する。
【００６０】
転送部６７は、転送先決定部６６から供給される転送対象特定情報に基づいて、図３の記録部４９から転送対象とする撮影データを読み出す。また、転送部６７は、転送先決定部６６から供給される撮影装置特定情報に基づいて、読み出した撮影データを通信部５０と無線ネットワーク２５を介して、転送先の撮影装置２０に送信する。
【００６１】
次に、図５を参照して、撮影装置２０による撮影処理について説明する。この撮影処理は、例えば、ユーザが操作入力部４７を操作することにより、撮影の開始の指令を入力したとき開始される。
【００６２】
ステップＳ１において、撮影部４６は、記録制御部６５の制御により撮影を行い、撮影データを取得する。ステップＳ２において、記録制御部６５は、ステップＳ１で取得された撮影データをクリップ単位で記録部４９に記録させる。ステップＳ３において、記録制御部６５は、操作入力部４７からの入力に応じて、ユーザにより撮影の終了が指令されたかを判定し、撮影の終了が指令されていないと判定された場合、処理はステップＳ１に戻り、上述した処理が繰り返される。
【００６３】
一方、ステップＳ３において、ユーザにより撮影の終了が指令されたと判定された場合、処理は終了する。
【００６４】
次に、図６乃至図１０を参照して、最優先要求情報を送信するためのユーザの操作について説明する。
【００６５】
まず最初に、図６を参照して、最優先要求情報を送信するための操作に用いられる操作入力部４７の操作ボタンの例について説明する。
【００６６】
図６の操作ボタン８１は、図３の出力部４８に表示されるカーソルを上方向に移動させるときに操作される。また、操作ボタン８２は、出力部４８に表示されるカーソルを下方向に移動させるときに操作される。さらに、操作ボタン８３は、出力部４８に表示されるカーソルの位置に対応する入力の決定を指令するときに操作される。
【００６７】
次に、図７乃至図１０を参照して、最優先要求情報を送信するための画面の例について説明する。なお、図７乃至図１０では、撮影装置２４において最優先要求情報を送信するものとする。
【００６８】
まず最初に、ユーザは、操作入力部４７を操作し、図７に示すように、各撮影装置２０の優先度データを表す優先度画面９１を、図３の出力部４８に表示させる。図７の優先度画面９１には、最上段に、優先度画面であることを表す「PRIORITY LIST」と、優先度画面の表示を終了するための「EXIT」が表示される。
【００６９】
なお、図７では、カーソル９２が「EXIT」に配置されており、優先度画面の表示を終了する場合、この状態で操作ボタン８３（図６）が操作される。
【００７０】
また、２段目には、自分自身である撮影装置２４に付与されたＩＤ「４」を表す「CAMERA4」、撮影装置２４のＩＰアドレスを表す「XXX.XXX.XXX.004」、現在の優先度データ「Ｌ」、および変更後の優先度データ「Ｈ」が表示されている。なお、優先度データ「Ｈ」は最優先の優先度を表し、優先度データ「Ｌ」は最優先の優先度ではない優先度を表す。
【００７１】
さらに、３段目には、他の撮影装置２１に付与されたＩＤ「１」を表す「CAMERA1」、撮影装置２１のＩＰアドレスを表す「XXX.XXX.XXX.001」、および現在の優先度データ「Ｌ」が表示されている。同様に、４段目には、他の撮影装置２２に付与されたＩＤ「２」を表す「CAMERA2」、撮影装置２２のＩＰアドレスを表す「XXX.XXX.XXX.002」、および現在の優先度データ「Ｈ」が表示され、５段目には、他の撮影装置２３に付与されたＩＤ「３」を表す「CAMERA3」、撮影装置２３のＩＰアドレスを表す「XXX.XXX.XXX.003」、および現在の優先度データ「Ｌ」が表示される。
【００７２】
優先度画面９１において、ユーザが操作ボタン８２（図６）を操作して、カーソル９２を下方向に移動させ、図８に示すように、２段目の変更後の優先度データ「Ｈ」の表示位置にカーソル９２を配置させて操作ボタン８３を操作すると、撮影装置２４は、最優先要求情報を他の全ての撮影装置２１乃至２３に送信する。
【００７３】
そして、撮影装置２１乃至２３の全てから了承情報を受信すると、図８の優先度画面９１は、図９の優先度画面９１に変更される。即ち、図８の優先度画面９１の２段目の変更後の優先度データ「Ｈ」の表示位置の隣に、優先度データの変更が了承されたことを表す「ＯＫ」が表示されるとともに、変更後の優先度データ「Ｈ」と「ＯＫ」の表示位置にカーソル９２が表示される。
【００７４】
なお、撮影装置２４の変更後の優先度データ「Ｈ」と「ＯＫ」の表示位置にカーソル９２が表示されるのではなく、「ＯＫ」が点滅表示されるようにしてもよい。
【００７５】
ここで、ユーザが操作ボタン８３を操作すると、撮影装置２４の優先度データが「Ｌ」から「Ｈ」に変更され、図９の優先度画面９１が図１０の優先度画面９１に変更される。
【００７６】
即ち、２段目に表示される撮影装置２４の現在の優先度データが、「Ｌ」から「Ｈ」に変更され、変更後の優先度データが、「Ｈ」から「Ｌ」に変更される。また、４段目に表示される撮影装置２２の現在の優先度データが、「Ｈ」から「Ｌ」に変更される。
【００７７】
次に、図１１を参照して、図４のCPU４１による優先度決定処理について説明する。この優先度決定処理は、例えば、ユーザが操作入力部４７を操作することにより、優先度画面９１の表示を指令したとき開始される。
【００７８】
ステップＳ１１において、優先度決定部６４は、RAM４３に記憶されている優先度リストに基づいて、図７の優先度画面９１を表示させる。ステップＳ１２において、優先度決定部６４は、操作入力部４７からの入力に基づいて、ユーザにより最優先要求情報の送信が指令されたか、即ち、優先度画面９１内の変更後の優先度データの表示位置にカーソル９２が配置され、操作ボタン８３が操作されたかを判定する。
【００７９】
ステップＳ１２でユーザにより最優先要求情報の送信が指令されたと判定された場合、優先度決定部６４は、最優先要求情報を生成して送信部６２に供給する。そして、ステップＳ１３において、送信部６２は、通信部５０を介して無線ネットワーク２５に接続されている他の全ての撮影装置２０に、優先度決定部６４からの最優先要求情報を送信する。
【００８０】
ステップＳ１４において、受信部６３は、ステップＳ１３で最優先要求情報が送信された全ての撮影装置２０が、一定時間内に、その最優先要求情報が表す要求に応じた優先度データの変更を了承したか、即ち、最優先要求情報が送信されてから一定時間内に、その最優先要求情報が送信された全ての撮影装置２０から了承情報を受信したかを判定する。
【００８１】
ステップＳ１４で、ステップＳ１３で最優先要求情報が送信された全ての撮影装置２０が、一定時間内に、その最優先要求情報が表す要求に応じた優先度データの変更を了承したと判定された場合、受信部６３は、受信した了承情報を優先度決定部６４に供給する。そして、ステップＳ１５において、優先度決定部６４は、出力部４８に表示されている図８の優先度画面９１を図９の優先度画面９１に変更する。
【００８２】
ステップＳ１６において、優先度決定部６４は、ユーザにより決定が指令されたか、即ち図９の優先度画面９１において、変更後の優先度データ「Ｈ」と「ＯＫ」の表示位置にカーソル９２が配置された状態で操作ボタン８３が操作されたかを判定する。
【００８３】
ステップＳ１６でユーザにより決定が指令されていないと判定された場合、優先度決定部６４は、ユーザにより決定が指令されるまで待機する。
【００８４】
一方、ステップＳ１６でユーザにより決定が指令されたと判定された場合、ステップＳ１７において、優先度決定部６４は、図９の優先度画面９１を図１０の優先度画面９１に変更する。
【００８５】
ステップＳ１８において、優先度決定部６４は、生成した最優先要求情報、および、受信部６３から供給される了承情報に基づいて、自分自身の優先度データが最優先の優先度を表すように、各撮影装置２０の優先度データを決定し、優先度リストを変更する。例えば、ユーザが図９の優先度画面９１において操作ボタン８３を操作して決定を指令した場合、優先度決定部６４は、優先度リスト内の自分自身の優先度データを、最優先ではない優先度の優先度データから、最優先の優先度データに変更する。そして、優先度決定部６４は、最優先の優先度データの取得通知を生成して送信部６２に供給する。
【００８６】
ステップＳ１９において、送信部６２は、優先度決定部６４から供給される最優先の優先度データの取得通知を、通信部５０を介して、最優先要求情報が送信された全ての撮影装置２０に送信する。ステップＳ２０において、記録制御部６５は、RAM４３に記憶されている変更後の優先度リスト内の自分自身の優先度データに基づいて、最優先の優先度ではない優先度の優先度データに対応する残容量規定値から、最優先の優先度データに対応する残容量規定値に残容量規定値を増加し、処理はステップＳ２３に進む。
【００８７】
一方、ステップＳ１２において、最優先要求情報の送信が指令されたと判定されない場合、ステップＳ２１において、優先度決定部６４は、操作入力部４７からの入力に対応して、優先度画面９１の表示を終了するか、即ち図７の優先度画面９１において、最上段の「EXIT」にカーソル９２が配置されている状態で操作ボタン８３が操作されたかを判定する。
【００８８】
ステップＳ２１で優先度画面９１の表示を終了すると判定されない場合、処理はステップＳ１２に戻り、上述した処理が繰り返される。一方、ステップＳ２１で優先度画面９１の表示を終了すると判定された場合、処理はステップＳ２３に進む。
【００８９】
一方、ステップＳ１４で、ステップＳ１３で最優先要求情報が送信された全ての撮影装置２０が、一定時間内に、その最優先要求情報が表す要求に応じた優先度データの変更を了承したと判定されない場合、ステップＳ２２において、優先度決定部６４は、図８の優先度画面９１を、図９の優先度画面９１において「ＯＫ」の代わりに「ＮＧ」を表示させた優先度画面９１に変更し、処理はステップＳ２３に進む。ステップＳ２３において、優先度決定部６４は、優先度画面９１の表示を終了し、処理は終了する。
【００９０】
次に、図１２と図１３を参照して、了承情報を送信するためのユーザの操作について説明する。なお、図１２と図１３では、撮影装置２２が、撮影装置２４において送信された最優先要求情報に対して了承情報を送信するものとする。また、了承情報を送信するための操作に用いられる操作ボタンは、図６の最優先要求情報を送信するための操作に用いられる操作ボタン８１乃至８３と共通であるものとする。
【００９１】
最優先要求情報が受信されると、図１２に示す優先度画面１０１が表示される。図１２の優先度画面１０１には、図７乃至図１０の優先度画面９１と同様に、最上段に、「PRIORITY LIST」と「EXIT」が表示される。
【００９２】
また、２段目には、自分自身である撮影装置２２に付与されたＩＤ「２」を表す「CAMERA2」、撮影装置２２のＩＰアドレスを表す「XXX.XXX.XXX.002」、現在の優先度データ「Ｈ」、および変更後の優先度データ「Ｌ」が表示されている。さらに、３段目と４段目には、図７乃至図１０の優先度画面９１と同様に、他の撮影装置２１と２２の情報が表示される。
【００９３】
５段目には、最優先要求情報を送信してきた撮影装置２４に付与されたＩＤ「４」を表す「CAMERA4」、撮影装置２４のＩＰアドレスを表す「XXX.XXX.XXX.004」、現在の優先度データ「Ｌ」、最優先要求情報が送信された全ての撮影装置２０から了承情報を受信したときに変更される優先度データ「Ｈ」、および、了承を表す「ＯＫ」が表示されている。また、６段目には、撮影装置２４の現在の優先度データ「Ｌ」、最優先要求情報が送信された全ての撮影装置２０から了承情報を受信したときに変更される優先度データ「Ｈ」、および、拒否を表す「ＮＧ」が表示されている。
【００９４】
ここで、ユーザは、撮影装置２４に了承情報を送信するとき、操作ボタン８１または８２を操作して、カーソル１０２を５段目の変更後の優先度データ「Ｈ」と了承を表す「ＯＫ」の表示位置に配置させる。このとき、２段目の撮影装置２２の現在の優先度データ「Ｈ」と変更後の優先度データ「Ｌ」の表示が点滅する。
【００９５】
この状態でユーザが操作ボタン８３を操作すると、撮影装置２２は了承情報を撮影装置２４に送信する。このとき、撮影装置２２は、図１２の優先度画面１０１を図１３の優先度画面１０１に変更する。なお、ここで送信された了承情報は、図１１のステップＳ１４の判定に用いられる。
【００９６】
即ち、カーソル１０２が最上段の「EXIT」の表示位置に配置される。また、２段目の撮影装置２２の現在の優先度データ「Ｈ」が「Ｌ」に変更され、変更後の優先度データ「Ｌ」が「Ｈ」に変更され、それぞれ点滅表示される。また、５段目の撮影装置２４の現在の優先度データ「Ｌ」が「Ｈ」に変更され、点滅表示される。さらに、５段目の変更後の優先度データ「Ｈ」および了承を表す「ＯＫ」、並びに６段目の表示は削除される。
【００９７】
その後、図１１のステップＳ１９において、撮影装置２４から最優先の優先度データの取得通知が送信されると、撮影装置２２は、図１３の優先度画面１０１の点滅表示を停止する。
【００９８】
次に、図１４を参照して、図４のCPU４１による了承処理について説明する。この了承処理は、例えば、他の撮影装置２０から最優先要求情報を受信したとき、開始される。
【００９９】
ステップＳ３１において、優先度決定部６４は、図１２の優先度画面１０１を図３の出力部４８に表示させる。ステップＳ３２において、優先度決定部６４は、図３の操作入力部４７からの入力に対応して、ユーザが最優先要求情報を送信してきた他の撮影装置２０に対して、その最優先要求情報が表す要求に応じた優先度データの変更を了承したか、即ち図１２の優先度画面１０１において、優先度データ「Ｈ」と了承を表す「ＯＫ」の表示位置にカーソル１０２が配置されている状態で操作ボタン８３が操作されたかを判定する。
【０１００】
ステップＳ３２において、ユーザが最優先要求情報を送信してきた他の撮影装置２０に対して、その最優先要求情報が表す要求に応じた優先度データの変更を了承したと判定された場合、優先度決定部６４は、受信された最優先要求情報の了承情報を生成して送信部６２に供給する。そして、ステップＳ３３において、送信部６２は、最優先要求情報を送信してきた他の撮影装置２０に、優先度決定部６４からの了承情報を送信する。
【０１０１】
ステップＳ３４において、優先度決定部６４は、図１２の優先度画面１０１を図１３の優先度画面１０１に変更する。ステップＳ３５において、受信部６３は、ステップＳ３３で了承情報が送信された撮影装置２０から、最優先の優先度データの取得通知を受信したかを判定する。
【０１０２】
ステップＳ３５で最優先の優先度データの取得通知を受信したと判定された場合、ステップＳ３６において、優先度決定部６４は、生成された了承情報、および、受信部６３から供給される最優先要求情報に基づいて、その最優先要求情報を送信してきた撮影装置２０の優先度データが最優先の優先度を表すように、各撮影装置２０の優先度データを決定し、優先度リストを変更する。
【０１０３】
ステップＳ３７において、受信部６３は、図１３の優先度画面１０１の点滅表示を停止し、処理はステップＳ３８に進む。
【０１０４】
一方、ステップＳ３５で最優先の優先度データの取得通知を受信したと判定されない場合、即ち、最優先要求情報を受信した撮影装置２０の少なくとも１つが一定時間内に了承情報を送信しなかった場合、ステップＳ３６とＳ３７の処理はスキップされ、処理はステップＳ３８に進む。即ち、この場合、優先度リストと優先度画面１０１は変更されない。
【０１０５】
また、ステップＳ３２でユーザが最優先要求情報を送信してきた他の撮影装置２０に対して、その最優先要求情報が表す要求に応じた優先度データの変更を了承したと判定されない場合、ステップＳ３３乃至Ｓ３７の処理はスキップされ、処理はステップＳ３８に進む。即ち、この場合、了承情報が送信されず、優先度リストと優先度画面１０１は変更されない。ステップＳ３８において、受信部６３は、優先度画面１０１の表示を終了し、処理は終了する。
【０１０６】
次に、図１５を参照して、図４の取得部６１による撮影装置情報リストの取得処理について説明する。この取得処理は、例えば、一定時間ごと（例えば、１０分ごとであり、現在時刻の分の１桁目が９のとき）に開始される。なお、図１５では、撮影装置２４が、撮影装置情報を管理する撮影装置であるものとする。
【０１０７】
ステップＳ８０において、撮影装置２４の取得部６１は、通信部５０を介して撮影装置２１に対して撮影装置情報を要求する。ステップＳ５０において、撮影装置２１の取得部６１は、撮影装置２４からの撮影装置情報の要求を、通信部５０を介して受信する。ステップＳ５１において、撮影装置２１の取得部６１は、通信部５０を介して撮影装置情報を撮影装置２４に送信する。
【０１０８】
ステップＳ８１において、撮影装置２４の取得部６１は、通信部５０を介して撮影装置２１から送信されてくる撮影装置情報を受信する。ステップＳ８２において、撮影装置２４の取得部６１は、通信部５０を介して撮影装置２２に対して撮影装置情報を要求する。
【０１０９】
ステップＳ６０において、撮影装置２２の取得部６１は、撮影装置２１の取得部６１と同様に、撮影装置２４からの撮影装置情報の要求を受信し、ステップＳ６１において、撮影装置情報を撮影装置２４に送信する。
【０１１０】
ステップＳ８３において、撮影装置２４の取得部６１は、通信部５０を介して撮影装置２２から送信されてくる撮影装置情報を受信する。ステップＳ８４において、撮影装置２４の取得部６１は、通信部５０を介して撮影装置２３に対して撮影装置情報を要求する。
【０１１１】
ステップＳ７０において、撮影装置２３の取得部６１は、撮影装置２１の取得部６１と同様に、撮影装置２４からの撮影装置情報の要求を受信し、ステップＳ７１において、撮影装置情報を撮影装置２４に送信する。
【０１１２】
ステップＳ８５において、撮影装置２４の取得部６１は、通信部５０を介して撮影装置２３から送信されてくる撮影装置情報を受信する。ステップＳ８６において、撮影装置２４の取得部６１は、ステップＳ８１,Ｓ８３、およびＳ８５で受信された撮影装置情報と、自分自身の撮影装置情報とに基づいて、撮影装置情報リストを作成し、優先度決定部６４に供給する。そして、撮影装置２４の優先度決定部６４は、この撮影装置情報リストに基づいて、優先度リストを更新する。
【０１１３】
ステップＳ８７において、撮影装置２４の取得部６１は、所定のタイミングで(例えば、現在時刻の分の１桁目が０のとき)、ステップＳ８６で作成された撮影装置情報リストを撮影装置２１に送信する。ステップＳ５２において、撮影装置２１の取得部６１は、撮影装置２４から送信されてくる撮影装置情報リストを受信し、優先度決定部６４に供給する。そして、撮影装置２１の優先度決定部６４は、この撮影装置情報リストに基づいて、優先度リストを更新する。
【０１１４】
また、ステップＳ８８において、撮影装置２４の取得部６１は、ステップＳ８６で作成された撮影装置情報リストを撮影装置２２に送信する。ステップＳ６２において、撮影装置２２の取得部６１は、撮影装置２４から送信されてくる撮影装置情報リストを受信し、優先度決定部６４に供給する。そして、撮影装置２２の優先度決定部６４は、この撮影装置情報リストに基づいて、優先度リストを更新する。
【０１１５】
さらに、ステップＳ８９において、撮影装置２４の取得部６１は、ステップＳ８６で作成された撮影装置情報リストを撮影装置２３に送信する。ステップＳ７２において、撮影装置２３の取得部６１は、撮影装置２４から送信されてくる撮影装置情報リストを受信し、優先度決定部６４に供給する。そして、撮影装置２３の優先度決定部６４は、この撮影装置情報リストに基づいて、優先度リストを更新する。
【０１１６】
図１６は、優先度リストの例を示している。
【０１１７】
なお、図１６では、撮影装置２４のRAM４３に記憶されている優先度リストを示している。
【０１１８】
図１６に示すように、撮影装置情報リストの最上段には、撮影装置情報リストであることを示す「TERMINAL INFORMATION」が記述される。また、２段目には、自分自身である撮影装置２４に付与されたＩＤ「４」を表す「CAMERA4」、撮影装置２４のＩＰアドレスを表す「XXX.XXX.XXX.004」、現在の優先度データ「Ｌ」、電波情報が表す無線電波の強度である「80」、および、残容量情報が表す残容量である「5.2」が記述される。
【０１１９】
さらに、３段目には、他の撮影装置２１に付与されたＩＤ「１」を表す「CAMERA1」、撮影装置２１のＩＰアドレスを表す「XXX.XXX.XXX.001」、現在の優先度データ「Ｌ」、電波情報が表す無線電波の強度である「70」、および、残容量情報が表す残容量である「13.5」が記述される。
【０１２０】
同様に、４段目には、他の撮影装置２２に付与されたＩＤ「２」を表す「CAMERA2」、撮影装置２２のＩＰアドレスを表す「XXX.XXX.XXX.002」、現在の優先度データ「Ｈ」、電波情報が表す無線電波の強度である「75」、および、残容量情報が表す残容量である「21」が記述され、５段目には、他の撮影装置２３に付与されたＩＤ「３」を表す「CAMERA3」、撮影装置２３のＩＰアドレスを表す「XXX.XXX.XXX.003」、現在の優先度データ「Ｌ」、電波情報が表す無線電波の強度である「45」、および、残容量情報が表す残容量である「10.1」が記述される。
【０１２１】
次に、図１７を参照して、図３の記録部４９に記録されているファイルのディレクトリ構造について説明する。
【０１２２】
図１７において、シンボル１１１は、１つのディレクトリを表している。なお、符号は付していないが、シンボル（ディレクトリ）１１１と同一のその他のシンボルも、１つのディレクトリを表している。また、シンボル１１２は、１つのファイルを示している。なお、符号は付していないが、シンボル（ファイル）１１２と同一のその他のシンボルも、１つのファイルを示している。
【０１２３】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【０１２４】
図１７の例では、記録部４９には、目次を記述するデータのファイルであり、クリップおよび分割情報リスト（詳細は後述する）を管理するための情報を記述するインデックスファイル(INDEX.XML)１１２と、記録部４９の代表画のパス、記録部４９のタイトルやコメントなどから構成されるメディアメタデータのファイルであるメディアメタファイル（MEDIAMETA.XML）とが設けられている。
【０１２５】
なお、分割情報リストとは、図４の転送部６７により複数の撮影装置２０に撮影データが分割されて転送された場合の、分割後の撮影データに関する情報を表すリストである。
【０１２６】
また、記録部４９には、クリップのうちの撮影データのファイルが下位に設けられるクリップディレクトリ（Clip）１１１、クリップの撮影データのうちの画像データのデータ量を少なくした画像プロキシデータおよび音声データのデータ量を少なくした音声プロキシデータからなるプロキシデータのファイルが下位に設けられるプロキシディレクトリ（Sub）、リアルタイム性を要求されないメタデータ（以下、ノンリアルタイムメタデータという）を含むファイルが下位に設けられるメタディレクトリ（META）、および分割情報リストのファイルが下位に設けられる分割ディレクトリ（DIVIDE）が設けられている。
【０１２７】
クリップディレクトリ(Clip)１１１には、記録部４９に記録されているクリップのうちの撮影データが、クリップ毎に異なるファイルとして記録される。
【０１２８】
具体的には、例えば、図１７は、記録部４９に３つのクリップの撮影データが記録されている場合の例を示している。
【０１２９】
即ち、例えば、クリップディレクトリ１１１の下位には、記録部４９に記録された最初のクリップの撮影データのファイルである第１のクリップファイル（C0001.MXF）、第２のクリップの撮影データのファイルである第２のクリップファイル（C0002.MXF）、および、第３のクリップの撮影データのファイルである第３のクリップファイル（C0003.MXF）が設けられている。
【０１３０】
図１７において、このようなクリップディレクトリ１１１の下方に示されるプロキシディレクトリ（Sub）には、記録部４９に記録されているクリップのプロキシデータが、クリップ毎に異なるファイルとして記録されている。
【０１３１】
例えば、図１７の例の場合、プロキシディレクトリ（Sub）の下位には、記録部４９に記録された最初のクリップのプロキシデータのファイルである第１のプロキシファイル（C0001S01.MXF）、第２のクリップのプロキシデータのファイルである第２のプロキシファイル（C0002S01.MXF）、および第３のクリップのプロキシデータのファイルである第３のプロキシファイル（C0003S01.MXF）が設けられる。
【０１３２】
また、図１７において、プロキシディレクトリ（Sub）の下方に示されるメタディレクトリ（META）には、記録部４９に記録されているクリップのノンリアルタイムメタデータが、クリップ毎に異なるファイルとして記録されている。なお、ノンリアルタイムメタデータとしては、例えば、図４の転送部６７により転送された転送先の撮影装置２０の撮影装置特定情報などが記録される。
【０１３３】
図１７の例の場合、メタディレクトリ（META）の下位には、記録部４９に記録された最初のクリップのノンリアルタイムメタデータを含むファイルである第１のノンリアルタイムメタデータファイル（C0001M01.XML）、第２のクリップのノンリアルタイムメタデータを含むファイルである第２のノンリアルタイムメタデータファイル（C0002M01.XML）、および、第３のクリップのノンリアルタイムメタデータを含むファイルである第３のノンリアルタイムメタデータファイル（C0003M01.XML）が設けられる。
【０１３４】
さらに、図１７において、メタディレクトリ（META）の下方に示される分割ディレクトリ（DIVIDE）には、記録部４９に記録されているクリップの分割情報リストなどが、クリップ毎に異なるファイルとして記録されている。
【０１３５】
例えば、図１７の例の場合、メタディレクトリ（META）の下位には、記録部４９に記録された最初のクリップの分割情報リストを含むファイルである第１の分割情報リストファイル（D0001E01.SMI）と、その分割情報リストのメタデータを含むファイルである第１の分割情報リスト用メタデータファイル（D0001M01.XML）が設けられている。
【０１３６】
また、第１の分割情報リストファイル（D0001E01.SMI）および第１の分割情報リスト用メタデータファイル（D0001M01.XML）と同様に、記録部４９に記録された第２のクリップの分割情報リストを含むファイルである第２の分割情報リストファイル（D0001E01.SMI）および、その分割情報リストのメタデータを含むファイルである第２の分割情報リスト用メタデータファイル（D0002M01.XML）が設けられている。即ち、図１７の例では、記録部４９に記録された最初のクリップと第２のクリップの撮影データが、複数の撮影装置２０に分割して転送されている。
【０１３７】
図１８は、１つの撮影装置２０に全部が転送されたクリップのノンリアルタイムメタデータの例を示している。
【０１３８】
即ち、図１８は、１つの撮影装置２０に全部が転送されたクリップのXMLで記述されたノンリアルタイムメタデータファイル（図１７）の具体的な記述例を示す図である。なお、図１８において、各行頭の数字は、説明の便宜上付加したものであり、XML記述の一部ではない。このことは、後述する図１９と図２０においても同様である。
【０１３９】
クリップの撮影データが１つの撮影装置２０に転送される場合、ノンリアルタイムメタデータファイルも転送されるが、ノンリアルタイムメタデータファイルは転送元の撮影装置２０から削除されずに残る。そして、転送後、ノンリアルタイムメタデータには、転送先の撮影装置２０の撮影装置特定情報および転送日時が記述される。
【０１４０】
詳細には、図１８に示すように、ノンリアルタイムメタデータファイルのXML記述は、主にノンリアルタイムメタタグ（<NonRealTimeMeta> </NonRealTimeMeta>）で囲まれるノンリアルタイムメタ部により構成される。図１８の例では、このノンリアルタイムメタ部は２乃至１３行目に記述されている。
【０１４１】
ノンリアルタイムメタ部には、クリップの撮影データの転送先の撮影装置２０の撮影装置特定情報などが記述される。具体的には、図１８において、２行目には、このノンリアルタイムメタデータファイルがプロフェッショナルディスク（professional Disc）のノンリアルタイムメタデータ（nonRealTimeMeta）であることを示す情報が記述されている。また、３行目には、このノンリアルタイムメタデータファイルの最終アップデート日時(lastUpdate)が記述されている。
【０１４２】
４乃至６行目のTargetMaterial要素には、このノンリアルタイムメタデータファイルに対応するクリップファイルに割り当てられたUMIDなどが記述されている。即ち、５行目の「umidRef="060A2B340101010501010D12130000000000001044444484EEEE00E0188E130B"」の記述は、このノンリアルタイムメタデータファイルに対応するクリップファイルに割り当てられたUMIDが「060A2B340101010501010D12130000000000001044444484EEEE00E0188E130B」であることを示している。また、６行目の「status="OK"」は、撮影データがテレビジョン番組のデータとして使用可能であることを示している。
【０１４３】
７行目のTransferMediaId要素には、転送先の撮影装置２０の撮影装置特定情報としての、撮影装置２０に付与された固有のＩＤが記述される。即ち、７行目の「value="20070101"」は、転送先の撮影装置２０に付与されたＩＤが「20070101」であることを示している。
【０１４４】
また、８行目のTransferDate要素には、転送日時が記述される。即ち、８行目の「value="2007-08-01T14:12:56+09:00"」は、転送日時が2007年8月1日14時12分56秒から9分間であることを示している。従って、他の撮影装置２０に転送されるノンリアルタイムメタデータファイルには、７行目と８行目の記述は含まれていない。
【０１４５】
さらに、９行目のDuration要素には、このノンリアルタイムメタデータファイルに対応するクリップファイルの撮影データのフレーム数が記述される。即ち、９行目の「value="9000"」は、このノンリアルタイムメタデータファイルに対応するクリップファイルの撮影データのフレーム数が9000フレームであることを示している。
【０１４６】
また、１０行目のCreationDate要素には、このノンリアルタイムメタデータファイルに対応するクリップファイルの作成日時が記述される。即ち、１０行目の「value="2007-08-01T12:34:56+09:00"」は、このノンリアルタイムメタデータファイルに対応するクリップファイルの作成日時が、2007年8月1日12時34分56秒から9分間であることを示している。
【０１４７】
さらに、１１行目のTitle要素には、このノンリアルタイムメタデータファイルに対応するクリップファイルのタイトルが記述される。即ち、１１行目の「usAscii="The Prime Minister organized a new Cabinet"」は、このノンリアルタイムメタデータファイルに対応するクリップファイルのタイトルが「The Prime Minister organized a new Cabinet」であることを示している。
【０１４８】
図１９は、複数の撮影装置２０に分割して転送されたクリップのノンリアルタイムメタデータの例を示している。
【０１４９】
即ち、図１９は、他の撮影装置２０に分割して転送されたクリップのXMLで記述されたノンリアルタイムメタデータファイル（図１７）の具体的な記述例を示す図である。
【０１５０】
クリップの撮影データが複数の撮影装置２０に分割して転送される場合も、1つの撮影装置２０に全部が転送される場合と同様に、ノンリアルタイムメタデータファイルも転送されるが、ノンリアルタイムメタデータファイルは転送元の撮影装置２０から削除されずに残る。そして、転送後、ノンリアルタイムメタデータには、転送先の撮影装置２０の撮影装置特定情報および転送日時が記述される。
【０１５１】
なお、図１９のノンリアルタイムメタデータの１行目乃至６行目および９行目乃至１３行目の記述は、図１８のノンリアルタイムメタデータの１行目乃至６行目および９行目乃至１３行目の記述と同一であるので、説明は省略する。
【０１５２】
図１９において、７行目のDivide要素には、このノンリアルタイムメタデータファイルに対応する分割情報リストファイルに割り当てられたUMIDが記述される。即ち、７行目の記述「umidRef="060A2B340101010501010D12130000005247287144444484EEEE00E0188E130B"」は、このノンリアルタイムメタデータファイルに対応する分割情報リストファイルに割り当てられたUMIDが、「060A2B340101010501010D12130000005247287144444484EEEE00E0188E130B」であることを示している。
【０１５３】
図２０は、分割情報リストの例を示している。
【０１５４】
即ち、図２０は、XMLで記述された分割情報リストファイル（図１７）の具体的な記述例を示す図である。
【０１５５】
分割情報リストファイルは、分割して転送されたクリップファイルの転送先の撮影装置２０の撮影装置特定情報を含むファイルであり、そのクリップファイルの再生方法についても記述されている。
【０１５６】
図２０に示すように、分割情報リストファイルのXML記述は、主にボディタグ（<body> </body>）で囲まれるボディ部により構成される。図２０の例では、このボディ部は４乃至１７行目に記述されている。なお、２行目には、このファイルが分割情報リストファイル（Divide-Editlist）であることを示す情報が記述されている。
【０１５７】
また、３行目には、この分割情報リストファイルに割り当てられたUMID「060A2B340101010501010D12130000005247287144444484EEEE00E0188E130B」が記述されている。
【０１５８】
ボディ部には、記述の時間的振る舞いと関係する情報が記述される。図２０の例では、５行目の開始タグ「<par>」と１６行目の終了タグ「</par>」の間に記述されるpar要素は、複数の要素を同時に再生する単純時間グループを定義する。
【０１５９】
図２０の例では、２つに分割されたクリップファイルの一方のファイルである第１の分割クリップファイル（図２０の例では、Cut１と記述されている）と、他方のファイルである第２の分割クリップファイル（図２０の例では、Clip2と記述されている）が同時に再生されるように定義されている。
【０１６０】
但し、図２０の例の場合、後述するように、２つの分割クリップファイルどうしの再生開始時間はそれぞれ互いにずれており、実際には、２つの分割クリップファイルは、それぞれ連続して再生される。
【０１６１】
具体的には、図２０において、７行目のTransferMediaId要素には、第１の分割クリップファイルが記録される撮影装置２０の撮影装置特定情報が記述される。即ち、７行目の「value="20070101"」は、第１の分割クリップファイルが記録される撮影装置２０に付与された固有のＩＤが「20070101」であることが示されている。
【０１６２】
また、８乃至１０行目のvideo要素には、参照するクリップファイルおよび参照するクリップファイルの再生範囲等が記述されている。
【０１６３】
詳細には、９行目の「umid="060A2B340101010501010D12130000003351651144444484EEEE00E0188E9315"」の記述は、第１の分割クリップファイルに割り当てられたUMIDが「060A2B340101010501010D431300000070D3020009350597080046020118F454」であることを示している。
【０１６４】
また、１０行目の「clipBegin="0"」の記述は、第１の分割クリップファイルの再生を開始する位置を、第１の分割クリップファイルのFTC（File Time Code）で示しており、単位はフレーム数である。なお、FTCは、各ファイルの先頭フレームの番号を「0」とし、その先頭フレームから順番に、各フレームに割り当てられる相対的な位置情報である。
【０１６５】
１０行目の「clipEnd="5999"」の記述は、第１の分割クリップファイルの再生を終了する位置を、第１の分割クリップファイルのFTCで示している。さらに、その記述に続く１０行目の「begin="0"」の記述は、第１の分割クリップファイルが開始される時刻を、分割前のクリップファイルのFTCで示しており、単位はフレーム数である。また、１０行目の「end="5999"」の記述は、第１の分割クリップファイルが終了される時刻を、分割前のクリップファイルのFTCで示している。
【０１６６】
以上のように、図２０の例では、第１の分割クリップファイルは、時刻「0」に、フレーム番号「0」の位置から、フレーム番号「5999」の位置まで再生されることが、分割情報リストに記述されている。
【０１６７】
また、第２の分割クリップファイルについても、１２行目乃至１５行目において、第１の分割クリップファイルの場合と同様に記述されている。図２０の例では、第２の分割クリップファイルは、時刻「6000」に、フレーム番号「0」の位置から再生され、フレーム番号「2999」の位置まで再生されることが、分割情報リストに記述されている。
【０１６８】
そして、図２０の分割情報リストにおいては、以上のような第１の分割クリップファイルの再生、第２の分割クリップファイルの再生がpar要素により、同時に行われるように指定されている。
【０１６９】
従って、時刻「0」から時刻「5999」まで、第１の分割クリップファイルが、フレーム番号「0」の位置からフレーム番号「5999」の位置まで再生される。そして、時刻「6000」において、今度は、第２の分割クリップファイルがフレーム番号「0」の位置からフレーム番号「2999」の位置まで再生される。
【０１７０】
以上のように、図２０の分割情報リストは、第１の分割クリップファイルと第２の分割クリップファイルが連続して再生されることにより、分割前のクリップファイルが再生されることを示している。
【０１７１】
なお、図１８乃至図２０において、各ファイルのUMIDの例が上述したように記述してあるが、これらは、UMIDの記述位置等を示すだけのものであり、それらの値が意味を持たない仮想のUMIDである。即ち、図１８乃至図２０に記載されているUMIDは、実際のUMIDとは異なる意味の無いシンボルの組合せであり、実際には、SMPTEの定める方法に基づいて作成された正当なUMIDが上述した仮想UMIDの代わりに各位置に記述される。
【０１７２】
次に、図２１を参照して、図４のCPU４１による転送処理について説明する。この転送処理は、例えば、新たなクリップファイルが記録部４９（図３）に記録されたとき、開始される。
【０１７３】
ステップＳ１０１において、記録制御部６５は、記録部４９の残容量を検出し、その残容量が、自分自身の優先度データに対応する残容量規定値を下回っているかを判定する。ステップＳ１０１で記録部４９の残容量が、自分自身の優先度データに対応する残容量規定値を下回っていると判定された場合、ステップＳ１０２において、転送部６７は、RAM４３に記憶されている優先度リストに基づいて、他の各撮影装置２０の残容量と、その撮影装置２０の優先度データに対応する残容量規定値とを比較する。
【０１７４】
ステップＳ１０３において、転送部６７は、ステップＳ１０２で比較された結果に基づいて、他の撮影装置２０のうち、残容量が残容量規定値を上回っているものがあるかを判定する。ステップＳ１０３で、他の撮影装置２０のうち、残容量が残容量規定値を上回っているものがあると判定された場合、ステップＳ１０４において、CPU４１は、残容量が残容量規定値を上回っている撮影装置２０に撮影データを転送する撮影データ転送処理を行う。この撮影データ転送処理の詳細は、後述する図２２を参照して説明する。
【０１７５】
一方、ステップＳ１０１で、記録部４９の残容量が、自分自身の優先度データに対応する残容量規定値を下回っていると判定されない場合、記録部４９に記録されている撮影データを転送する必要がないので、処理は終了する。
【０１７６】
また、ステップＳ１０３で、他の撮影装置２０のうち、残容量が残容量規定値を上回っているものがあると判定されない場合、記録部４９に記録されている撮影データを転送することができないので、処理は終了する。
【０１７７】
次に、図２２を参照して、図２１のステップＳ１０４の撮影データ転送処理の詳細について説明する。
【０１７８】
ステップＳ１２０において、転送先決定部６６は、転送対象とするクリップファイルを決定する。例えば、転送先決定部６６は、最後に記録部４９に記録されたクリップファイルを、転送対象とするクリップファイルとして決定する。そして、転送先決定部６６は、例えば転送対象とするクリップファイルに割り当てられたUMIDを、転送対象特定情報として転送部６７に供給する。
【０１７９】
ステップＳ１２１において、CPU４１は、転送先を決定する転送先決定処理を行う。この転送先決定処理の詳細は、後述する図２３を参照して説明する。
【０１８０】
ステップＳ１２２において、転送部６７は、ステップＳ１２１の転送先決定処理において決定された転送先の撮影装置２０が１台であるかを判定する。ステップＳ１２２で、転送先の撮影装置２０が１台であると判定されない場合、即ち、転送先の撮影装置２０が複数台ある場合、ステップＳ１２３において、転送部６７は、転送先決定部６６から供給される撮影装置特定情報および転送対象特定情報、並びにRAM４３に記憶されている優先度リストに基づいて、各転送先の残容量の大きい順に、各転送先用に転送対象のクリップファイルを分割し、分割後の分割クリップファイルのそれぞれにUMIDを割り当てる。
【０１８１】
例えば、転送先が撮影装置２１乃至２３の３台であり、撮影装置２１乃至２３の残容量が、それぞれ、600MB，300MB，200MBである場合、転送部６７は、転送対象の1000MBのクリップファイルを、撮影装置２１用の600MBの分割クリップファイル、撮影装置２２用の300MBの分割クリップファイル、および撮影装置２３用の100MBの分割クリップファイルに分割する。
【０１８２】
ステップＳ１２４において、転送部６７は、各転送先用の分割クリップファイルを、各転送先の撮影装置２０に転送する。ステップＳ１２５において、転送部６７は、転送対象のクリップファイルを記録部４９から削除し、そのクリップファイルに対応するノンリアルタイムメタデータファイルに、ステップＳ１２３で分割された分割クリップファイルの分割情報リストを記述する分割情報リストファイルのUMIDを記述する。
【０１８３】
ステップＳ１２６において、転送部６７は、ステップＳ１２３で分割された分割クリップファイルの分割情報リストを作成し、転送対象のクリップファイルに対応する分割情報リストファイルとして記録部に記録させる。そして、処理は図２１のステップＳ１０４に戻る。
【０１８４】
一方、ステップＳ１２２で、転送先の撮影装置２０が１台であると判定された場合、ステップＳ１２７において、転送部６７は、転送先決定部６６から供給される撮影装置特定情報と転送対象特定情報に基づいて、転送先の撮影装置２０に転送対象のクリップファイルを転送する。
【０１８５】
ステップＳ１２８において、転送部６７は、転送対象のクリップファイルを記録部４９から削除し、そのクリップファイルに対応するノンリアルメタデータファイルに転送先の撮影装置２０の撮影装置特定情報などを記述する。そして、処理は図２１のステップＳ１０４に戻る。
【０１８６】
以上のように、記録システム１０では、撮影装置２０がクリップファイルを他の撮影装置２０に転送する際、クリップファイルを削除するが、プロキシファイル、メタデータファイル、および分割情報リストファイルは削除しないので、それらのファイルにより、クリップファイルの転送後も、転送元の撮影装置２０を使用するユーザは、そのクリップファイルの撮影内容を認識することができる。
【０１８７】
次に、図２３を参照して、図２２のステップＳ１２１の転送先決定処理の詳細について説明する。
【０１８８】
ステップＳ１４１において、転送先決定部６６は、RAM４３に記憶されている優先度リストに基づいて、まだ転送先として決定されていない、図２１のステップＳ１０３で残容量が残容量規定値を上回っていると判定された他の撮影装置２０のうち、優先度データが「Ｌ」で、無線電波の強度が50以上のものを選択する。
【０１８９】
ステップＳ１４２において、転送先決定部６６は、ステップＳ１４１で選択された撮影装置２０の中で、残容量が最大のものと通信を行い、電波情報を取得する。
【０１９０】
ステップＳ１４３において、転送先決定部６６は、ステップＳ１４２で取得された電波情報が表す無線電波の強度が50以上であるかを判定する。ステップＳ１４３で無線電波の強度が50以上であると判定された場合、ステップＳ１４４において、転送先決定部６６は、ステップＳ１４１で選択された撮影装置２０を転送先として決定する。そして、転送先決定部６６は、転送先として決定された撮影装置２０の撮影装置特定情報を転送部６７に供給する。
【０１９１】
ステップＳ１４５において、転送先決定部６６は、ステップＳ１２０で決定された転送対象のクリップファイルの容量に基づいて、転送先として決定された撮影装置２０の残容量で充分であるか、即ち、転送先として決定された撮影装置２０の残容量が転送対象のクリップファイルの容量以上であるかを判定する。
【０１９２】
ステップＳ１４５で、転送先として決定された撮影装置２０の残容量で充分であると判定された場合、処理は図２２のステップＳ１２１に戻る。
【０１９３】
一方、ステップＳ１４５で、転送先として決定された撮影装置２０の残容量で充分であると判定されない場合、処理はステップＳ１４１に戻り、上述した処理が繰り返される。これにより、全転送先の残容量が転送対象のクリップファイルの容量以上となるまで、新たな転送先が追加決定される。
【０１９４】
また、ステップＳ１４３で、無線電波の強度が50以上であると判定されない場合、ステップＳ１４６において、取得部６１は、撮影装置情報リストを再取得し、優先度決定部６４に供給する。そして、優先度決定部６４は、その撮影装置情報リストに基づいて優先度リストを更新し、処理はステップＳ１４１に戻り、上述した処理が繰り返される。
【０１９５】
以上のように、記録システム１０では、最優先の優先度データに対応する残容量規定値に比べて、最優先の優先度ではない優先度の優先度データに対応する残容量規定値が小さくなるように残容量規定値が設定され、記録部４９の残容量が残容量規定値を下回った場合にクリップファイルが転送されるので、最優先の優先度データが設定された撮影装置２０は、最優先の優先度ではない優先度の優先度データが設定された撮影装置２０に比べて、優先的にクリップファイルを転送することができる。その結果、無線ネットワーク２５を介して接続されている撮影装置２０のうち、最優先の優先度データが設定された撮影装置２０は、撮影を長時間行うことができる。
【０１９６】
また、記録システム１０では、最優先の優先度データが設定された撮影装置２０は、転送先として選択されないので、最優先の優先度データが設定された撮影装置２０は、残容量が残容量規定値を上回っていても、他の撮影装置２０の撮影データを記録しない。従って、最優先の優先度データが設定された撮影装置２０は、常時可能な限り大きな残容量を有することができ、撮影を長時間行うことができる。
【０１９７】
以上により、記録システム１０では、撮影者が、自分の使用する撮影装置２０に対して最優先の優先度データを設定することにより、収録業務を主導する撮影者が撮影を長時間行ったり、絶好の撮影位置にいる撮影者が撮影を長時間行ったりすることができる。
【０１９８】
次に、図２４を参照して、撮影装置２０の認証情報の取得方法について説明する。
【０１９９】
図２４に示すように、無線ネットワーク２５に接続する可能性のある撮影装置２１乃至２４は、それぞれ、認証情報を管理するホストコンピュータ１２１が接続されているネットワーク１２２に接続する。
【０２００】
各撮影装置２０は、自分自身のＩＰアドレスなどの認証情報を、SMTP（Simple Mail Transfer Protocol）などに準拠して、ネットワーク１２２を介してホストコンピュータ１２１に送信する。
【０２０１】
図２４の例では、例えば、撮影装置２１はＩＰアドレス「XXX.XXX.XXX.001」を送信し、撮影装置２２はＩＰアドレス「XXX.XXX.XXX.002」を送信する。また、撮影装置２３はＩＰアドレス「XXX.XXX.XXX.003」を送信し、撮影装置２４はＩＰアドレス「XXX.XXX.XXX.004」を送信する。
【０２０２】
ホストコンピュータ１２１は、各撮影装置２０から送信されてくる認証情報を管理する。具体的には、ホストコンピュータ１２１は、各撮影装置２０から送信されてくる認証情報を記憶する。また、ホストコンピュータ１２１は、記憶している全ての認証情報を、FTP（File Transfer Protocol）などに準拠して、ネットワーク１２２を介して、認証情報を送信してきた撮影装置２０に送信する。
【０２０３】
図２４の例では、ホストコンピュータ１２１は、撮影装置２１のＩＰアドレス「XXX.XXX.XXX.001」、撮影装置２２のＩＰアドレス「XXX.XXX.XXX.002」、撮影装置２３のＩＰアドレス「XXX.XXX.XXX.003」、および撮影装置２４のＩＰアドレス「XXX.XXX.XXX.004」を、撮影装置２１乃至２４に送信する。
【０２０４】
以上のようにして送信されてきた、無線ネットワーク２５に接続する可能性のある撮影装置２１乃至２４の認証情報を、各撮影装置２０は取得して記憶する。
【０２０５】
なお、上述した説明では、優先度画面９１（１０１）にＩＰアドレスが表示されたが、ＩＰアドレスは表示されなくてもよい。
【０２０６】
また、上述した説明では、撮影データが記録部４９に記録された後転送が行われたが、撮影部４６により取得された撮影データをそのまま転送するようにしてもよい。
【０２０７】
さらに、上述した説明では、最優先要求情報に基づいて優先度データが決定されたが、各撮影装置２０の電波情報に基づいて優先度データが決定されたり、残容量情報に基づいて優先度データが決定されるようにしてもよい。この場合、無線電波が強いほど優先度が高くなるように優先度データが設定されたり、残容量が多いほど優先度が高くなるように優先度データが設定される。
【０２０８】
また、ユーザが記録部４９に記録されている各クリップファイルに対して重要度を設定しておき、低い重要度が設定されたクリップファイルの数に基づいて優先度データが決定されるようにしてもよい。例えば、ユーザが重要度として高い重要度と低い重要度のいずれかを設定する場合、撮影装置２０は、低い重要度が設定されたクリップファイルにNG属性を付与し、各撮影装置２０に記録されているNG属性が付与されたクリップファイルの数に基づいて優先度データを決定する。
【０２０９】
さらに、ユーザが記録部４９に記録されている各クリップファイルに対して重要度を設定する場合、図２１のステップＳ１０３で、他の撮影装置２０のうち、残容量が残容量規定値を上回っているものがあると判定されない場合に、撮影装置２０は、自分自身の記録部４９に記録しているクリップファイルのうち、低い重要度が設定されたクリップファイルを削除して、残容量が残容量規定値を下回るようにしてもよい。
【０２１０】
また、撮影装置２０は、自分自身の記録部４９に記録しているクリップファイルを、他の全部または一部の撮影装置２０の低い重要度が設定されたクリップファイルに上書きして、自分自身の記録部４９から削除することにより、残容量が残容量規定値を下回るようにしてもよい。
【０２１１】
この場合、転送元の撮影装置２０は、転送されたクリップファイルだけを削除し、プロキシファイルとノンリアルタイムメタデータファイルは残すようにしてもよい。また、この場合、図示しないが、転送後に転送元の撮影装置２０に残されたノンリアルタイムメタデータファイルに、対応するクリップファイルが削除されたことを示す情報が記述されるようにしてもよい。
【０２１２】
また、上述した説明では、最優先要求情報は１台の撮影装置２０から送信されるようにしたが、複数の撮影装置２０から送信されるようにしてもよい。この場合、最優先の優先度データが設定される撮影装置２０は複数存在する。
【０２１３】
さらに、撮影装置２０は、必ずしも撮影部４６を備える必要はなく、外部に設けられた撮影部から撮影データを取得して記録するようにしてもよい。
【０２１４】
本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２１５】
また、本明細書において、システムとは、複数の装置により構成される装置全体を表すものである。
【０２１６】
さらに、本発明の実施の形態は、上述した実施の形態に限定されるものではなく、本発明の要旨を逸脱しない範囲において種々の変更が可能である。
【図面の簡単な説明】
【０２１７】
【図１】本発明を適用した記録システムの一実施の形態の構成例を示す図である。
【図２】図１の記録システムにおける処理の概要について説明する図である。
【図３】撮影装置のハードウェアの構成例を示すブロック図である。
【図４】図３のCPUの機能的構成例を示すブロック図である。
【図５】撮影装置による撮影処理について説明するフローチャートである。
【図６】操作入力部の操作ボタンの例について説明する図である。
【図７】最優先要求情報を送信するための画面の例を示す図である。
【図８】最優先要求情報を送信するための画面の他の例を示す図である。
【図９】最優先要求情報を送信するための画面のさらに他の例を示す図である。
【図１０】最優先要求情報を送信するための画面のさらに他の例を示す図である。
【図１１】図４のCPUによる優先度決定処理について説明するフローチャートである。
【図１２】了承情報を送信するためのユーザの操作について説明する図である。
【図１３】了承情報を送信するためのユーザの操作について説明する図である。
【図１４】図４のCPUによる了承処理について説明するフローチャートである。
【図１５】図４の取得部による撮影装置情報リストの取得処理について説明するフローチャートである。
【図１６】優先度リストの例を示す図である。
【図１７】図３の記録部に記録されているファイルのディレクトリ構造について説明する図である。
【図１８】１つの撮影装置に全部が転送されたクリップのノンリアルタイムメタデータの例を示す図である。
【図１９】複数の撮影装置に分割して転送されたクリップのノンリアルタイムメタデータの例を示す図である。
【図２０】分割情報リストの例を示す図である。
【図２１】図４の転送部による転送処理について説明するフローチャートである。
【図２２】図２１のステップＳ１０４の撮影データ転送処理の詳細について説明するフローチャートである。
【図２３】図２２のステップＳ１２１の転送先決定処理の詳細について説明するフローチャートである。
【図２４】撮影装置の認証情報の取得方法について説明する図である。
【符号の説明】
【０２１８】
１０  記録システム，  ２１乃至２４  撮影装置，  ２５  無線ネットワーク，  ４６  撮影部，  ４９  記録部，  ６２  送信部，  ６３  受信部，  ６４  優先度決定部，  ６７  転送部
【図１】
2009118367.tif 000003
【図２】
2009118367.tif 000004
【図３】
2009118367.tif 000005
【図４】
2009118367.tif 000006
【図５】
2009118367.tif 000007
【図６】
2009118367.tif 000008
【図７】
2009118367.tif 000009
【図８】
2009118367.tif 000010
【図９】
2009118367.tif 000011
【図１０】
2009118367.tif 000012
【図１１】
2009118367.tif 000013
【図１２】
2009118367.tif 000014
【図１３】
2009118367.tif 000015
【図１４】
2009118367.tif 000016
【図１５】
2009118367.tif 000017
【図１６】
2009118367.tif 000018
【図１７】
2009118367.tif 000019
【図１８】
2009118367.tif 000020
【図１９】
2009118367.tif 000021
【図２０】
2009118367.tif 000022
【図２１】
2009118367.tif 000023
【図２２】
2009118367.tif 000024
【図２３】
2009118367.tif 000025
【図２４】
2009118367.tif 000026